(57)【要約】【課題】  所望の検査データを探しやすくし、検査効率の向上が期待される光断層画像撮像装置を提供する。【解決手段】  被検眼に照射する測定光を走査して断層像を取得する断層画像取得手段と、被検眼に照射する２次元画像撮像光を走査して２次元画像を取得する走査型の２次元画像取得手段と、前記断層像取得手段と前記走査型の２次元画像取得手段により取得された画像を患者の情報とともに記憶する患者情報記憶手段と、表示手段と、を有し、前記表示手段は、前記患者情報記憶手段に記憶された少なくとも一人の患者情報を一覧表示し、前記一覧表示された患者群から一人の患者が選択された場合に、該一人の患者の過去に取得された少なくとも一つの断層像と該断層像と略同時に取得された２次元画像をサムネイル画像として一覧表示し、前記サムネイル画像として表示された断層像の画像パラメータが変更可能であることを特徴とする。【選択図】  図１
2014045862.tif 000002
【特許請求の範囲】
【請求項１】
被検査物に照射する測定光を走査して断層像を取得する断層画像取得手段と、前記被検査物の２次元画像を取得する２次元画像取得手段と、前記断層像取得手段と前記２次元画像取得手段により取得された画像を患者の情報とともに記憶する患者情報記憶手段と、表示手段と、前記表示手段に表示する画像を指示する表示制御手段と、前記表示手段に表示された画像を介して前記表示制御手段に対する外部入力を受け付ける表示入力手段と、を有し、
前記表示制御手段は、前記画像の画像パラメータを変更する画像パラメータ変更手段を有すると共に、前記患者情報記憶手段に患者情報として前記情報が記憶された患者の一覧表示と、選択された前記患者情報のサムネイル画像の一覧表示と、を前記表示手段に実行させ、
前記表示入力手段は、前記患者の一覧表示からの一人の患者の選択と、前記画像パラメータの変更と、を受け付け、
前記画像パラメータ変更手段は、前記表示入力手段が受け付けた前記画像パラメータ変更の指示に応じて前記サムネイル画像の少なくとも一つにおける前記画像パラメータの変更を行い、
前記表示制御手段は、前記画像パラメータが変更された後の画像の表示を前記表示手段に実行させることを特徴とする光断層画像撮像装置。
【請求項２】
前記２次元画像取得手段は、前記被検査物に照射する２次元画像用の測定光を走査して２次元画像を取得する走査型の２次元画像取得手段であることを特徴とする請求項１に記載の光断層画像撮像装置。
【請求項３】
前記画像パラメータは輝度およびコントラストの少なくともいずれかであることを特徴とする請求項１乃至２のいずれか１項に記載の光断層画像撮像装置。
【請求項４】
前記画像パラメータの変更は輝度情報の反転、もしくは輝度情報からカラー情報への置換であることを特徴とする請求項１乃至３のいずれか１項に記載の光断層画像撮像装置。
【請求項５】
前記被検査物は被検眼であって、前記表示制御手段は、前記サムネイル画像とともに、撮影した日時および前記被検眼の左右情報、前記測定光の走査パターンのうち、少なくとも一つを前記表示手段に表示させることを特徴とする請求項１乃至４のいずれか１項に記載の光断層画像撮像装置。
【請求項６】
前記表示制御手段は、前記サムネイル画像とともに、画質指標を前記表手段に表示させることを特徴とする請求項１乃至５のいずれか１項に記載の光断層画像撮像装置。
【請求項７】
前記患者情報記憶手段は、取得された断層像ごとに検者の判断による写損情報を記憶し、前記表示制御手段は、前記サムネイル画像とともに、前記写損情報を前記表示手段に表示させることを特徴とする請求項１乃至６のいずれか１項に記載の光断層画像撮像装置。
【請求項８】
前記表示制御手段は、前記２次元画像のサムネイル画像に、前記断層像取得手段によって得た信号をもとに再構成した２次元画像を重畳することを特徴とする請求項１乃至７のいずれか１項に記載の光断層画像撮像装置。
【請求項９】
前記表示制御手段は、前記２次元画像のサムネイル画像に、前記断層像取得手段によって被検眼を走査した走査軌跡の概要図を重畳することを特徴とする請求項１乃至８のいずれか１項に記載の光断層画像撮像装置。
【請求項１０】
前記表示制御手段は、前記断層画像のサムネイル画像として、中心走査線位置の断層像を用いることを特徴とする請求項１乃至９のいずれか１項に記載の光断層画像撮像装置。
【請求項１１】
前記表示制御手段は、
前記表示入力手段から前記患者情報が入力されるごとに、前記患者情報記憶手段から前記入力された患者情報に該当する患者を検索し表示手段に表示させることを特徴とする請求項１乃至１０のいずれか１項に記載の光断層画像撮像装置。
【請求項１２】
前記表示制御手段は、前記断層像の一覧表示において、撮影日時順および走査パターン順、左右眼順のうちいずれか一つを第一優先とし、残りの内いずれか一つを第二優先として並べ替えを可能とすることを特徴とする請求項１乃至１１のいずれか１項に記載の光断層画像撮像装置。
【請求項１３】
被検査物の画像を取得する画像取得手段と、
前記取得手段により取得された画像に基づいてサムネイル画像を生成する画像生成手段と、
前記取得手段により取得された画像に対して行われる画像処理を、前記サムネイル画像に反映させる画像処理手段と、
を備えたことを特徴とする画像処理装置。
【請求項１４】
被検査物に照射する測定光を走査して断層像を取得する断層画像取得手段と、前記被検査物の２次元画像を取得する２次元画像取得手段と、前記断層像取得手段と前記２次元画像取得手段により取得された画像を患者の情報とともに記憶する患者情報記憶手段と、表示手段と、を有する光断層画像撮像装置により取得された画像を表示する表示方法であって、
前記患者情報記憶手段に患者情報として前記情報が記憶された患者の一覧表示を前記表示手段にて行い、
前記表示手段に表示された画面を介して、前記患者の一覧表示より一人の患者の選択を行ない、
選択された前記患者情報のサムネイル画像の一覧表示を前記表示手段にて行い、
前記表示画面に指示された取得された前記画像の表示における画像パラメータの変更に応じて前記サムネイル画像の少なくとも一つにおける前記画像パラメータの変更を行い、
前記画像パラメータが変更された後の画像を前記表示手段に表示させることを特徴とする光断層画像の表示方法。
【請求項１５】
請求項１４に記載の表示方法の各工程をコンピュータに実行させることを特徴とするプログラム。
【発明の詳細な説明】
【技術分野】
【０００１】
本発明は、光断層画像撮像装置、画像処理装置及び光断層画像の表示方法に関する。
【背景技術】
【０００２】
現在、光学機器を用いた眼科用機器として、様々なものが使用されている。例えば、眼を観察する光学機器として、前眼部撮影機、眼底カメラ、共焦点レーザー走査検眼鏡（Ｓｃａｎｎｉｎｇ  Ｌａｓｅｒ  Ｏｐｈｔｈａｌｍｏｓｃｏｐｅ：ＳＬＯ）、等様々な機器が使用されている。中でも、多波長光波干渉を利用した光コヒーレンストモグラフィ（Ｏｐｔｉｃａｌ  Ｃｏｈｅｒｅｎｃｅ  Ｔｏｍｏｇｒａｐｈｙ：ＯＣＴ）による光断層画像撮像装置は、試料の断層像を高解像度に得ることができる装置である。このため、眼科用機器として網膜の専門外来では必要不可欠な装置になりつつある。また、眼科用だけでなく、内視鏡等にも利用されている。以下、これをＯＣＴ装置と記す。ＯＣＴ装置は眼科診断等において、被検眼の眼底における網膜の断層像や、角膜などの前眼部の断層像を取得するために広く利用されている。
【０００３】
ＯＣＴ装置は、低コヒーレント光である測定光を、参照光と測定光に分け、測定光を被検査物に照射し、その被検査物からの戻り光と参照光を干渉させることによって被検査物の断層を測定することができる。また、ＯＣＴ装置は測定光を、サンプル上に走査することで、高解像度の断層像を得ることができる。そして、ＯＣＴ装置では特定の領域に対し、測定光を１次元走査することで２次元断層画像を取得する。さらに、２次元断層画像取得のための１次元走査を、位置をずらしながら繰り返し取得することで３次元画像を得る。
【０００４】
ここで眼科診断において、検者は被検眼の病変の詳細な診断のためや経時変化を調べるために、過去に撮影された画像データを参照することがある。また、個別の病変の経時変化を調べるための、同一構図、同一条件での撮影（フォローアップ撮影）を行うために、過去の撮影データを参照し、その撮影条件を読みだす場合がある。このため、過去に撮影したデータは、探し出し易い表示形態であることが望まれる。
【０００５】
これに対し、複数の３次元データそれぞれを、２次元投影用レンダリング処理したサムネイル画像で一覧表示する医用画像用の３次元画像処理装置について、特許文献１に開示されている。また、３次元データから一つの断層像を選択し、サムネイル画像として表示する眼科用画像処理装置について、特許文献２に開示されている。なお、サムネイル画像とは、絵柄が一目でわかるような縦横画素数を小さくした低解像度の画像のことである。
【先行技術文献】
【特許文献】
【０００６】
【特許文献１】特開２００６−０９２２０１号公報
【特許文献２】特開２０１２−０４５２２５号公報
【発明の概要】
【発明が解決しようとする課題】
【０００７】
しかしながら、サムネイル画像の画像パラメータは検者にとって最適な値に調整した形態で表示したほうが特徴を掴みやすく、検者は所望のデータを探し出し易い場合がある。
【０００８】
上記の課題に鑑み、本発明は、所望の検査データを探しやすくし、検査効率の向上が期待される光断層画像撮像装置及び光断層画像の表示方法を提供することを目的とする。
【課題を解決するための手段】
【０００９】
上記目的を達成するため、本発明に係る光断層画像撮像装置は、被検査物に照射する測定光を走査して断層像を取得する断層画像取得手段と、前記被検査物の２次元画像を取得する２次元画像取得手段と、前記断層像取得手段と前記２次元画像取得手段により取得された画像を患者の情報とともに記憶する患者情報記憶手段と、表示手段と、前記表示手段に表示する画像を指示する表示制御手段と、前記表示手段に表示された画像を介して前記表示制御手段に対する外部入力を受け付ける表示入力手段と、を有し、
前記表示制御手段は、前記画像の画像パラメータを変更する画像パラメータ変更手段を有すると共に、前記患者情報記憶手段に患者情報として前記情報が記憶された患者の一覧表示と、選択された前記患者情報のサムネイル画像の一覧表示と、を前記表示手段に実行させ、
前記表示入力手段は、前記患者の一覧表示からの一人の患者の選択と、前記画像パラメータの変更と、を受け付け、
前記画像パラメータ変更手段は、前記表示入力手段が受け付けた前記画像パラメータ変更の指示に応じて前記サムネイル画像の少なくとも一つにおける前記画像パラメータの変更を行い、
前記表示制御手段は、前記画像パラメータが変更された後の画像の表示を前記表示手段に実行させることを特徴とする。
【００１０】
さらに、上記目的を達成するために、本発明に係る画像処理装置は、被検査物の画像を取得する画像取得手段と、前記取得手段により取得された画像に基づいてサムネイル画像を生成する画像生成手段と、前記取得手段により取得された画像に対して行われる画像処理を、前記サムネイル画像に反映させる画像処理手段と、を備える。
また、上記目的を達成するために、本発明に係る光断層画像の表示方法は、被検査物に照射する測定光を走査して断層像を取得する断層画像取得手段と、前記被検査物の２次元画像を取得する２次元画像取得手段と、前記断層像取得手段と前記２次元画像取得手段により取得された画像を患者の情報とともに記憶する患者情報記憶手段と、表示手段と、を有する光断層画像撮像装置により取得された画像を表示する表示方法であって、
前記患者情報記憶手段に患者情報として前記情報が記憶された患者の一覧表示を前記表示手段にて行い、
前記表示手段に表示された画面を介して、前記患者の一覧表示より一人の患者の選択を行ない、
選択された前記患者情報のサムネイル画像の一覧表示を前記表示手段にて行い、
前記表示画面に指示された取得された前記画像の表示における画像パラメータの変更に応じて前記サムネイル画像の少なくとも一つにおける前記画像パラメータの変更を行い、
前記画像パラメータが変更された後の画像を前記表示手段に表示させることを特徴とする。
【発明の効果】
【００１１】
本発明によれば、所望の検査データを探しやすく、検査効率の向上が見込める光断層画像撮像装置を提供できる。即ち、特徴を掴みやすいサムネイル画像を検者に提供することができる。
【図面の簡単な説明】
【００１２】
【図１】（ａ）は本発明に係る光断層画像撮像装置の患者画面の説明図の一例、（ｂ）は患者画面における過去検査リストの説明図の一例である。
【図２】（ａ）は本発明に係る光断層画像撮像装置の全体概要の一例を示す図、（ｂ）は本発明に係る光断層画像撮像装置の画像取得部である測定光学系の説明図の一例である。
【図３】本発明に係る光断層画像撮像装置の患者画面における患者検索の過程の説明図の一例である。
【図４】（ａ）は本発明に係る光断層画像撮像装置の撮像前のリアルタイム画像（動画像）を表示する撮影画面の説明図の一例、（ｂ）は同一モニタにおける撮像後の静止画像を表示する確認画面の説明図の一例である。
【図５】（ａ）は本発明に係る光断層画像撮像装置の断層画像を詳細に表示するレポート画面の説明図の一例、（ｂ）はレポート画面の過去検査リストにおいて、モード順タブが選択された場合の説明図の一例である。
【図６】本発明に係る動作フローの説明図の一例である。
【発明を実施するための形態】
【００１３】
（本体構成）
図２（ａ）は、本実施形態に係る光断層画像撮像装置の側面図である。２００は光断層画像撮像装置、９００は前眼部像および被検眼の２次元像および断層像を取得するための取得部（測定光学系）、９５０は移動部としてのステージ部で、画像取得部９００をＸＹＺ方向に不図示のモータを用いて移動可能とする。９５１は後述の分光器を内蔵するベース部である。
【００１４】
画像取得部９００は、後に詳述するが、被検体の画像を取得するための光を被検体上で走査させ、被検体を撮像することで被検体の画像を取得するものである。
９２５はパソコンであり、ステージ部の制御部を兼ね、ステージ部の制御とともにアライメント動作の制御、更に後述する断層画像の構成等を行う。９２６はハードディスクで、患者情報と各種撮影データを記憶する患者情報記憶部を兼ね、断層撮像用のプログラムを予め記憶する記憶部である。
【００１５】
９２８は、表示部であるモニタであり、９２９はパソコンへの指示を行う入力部であり、具体的にはキーボードとマウスから構成される。即ち、モニタ９２８は、後述する患者画面、撮影前の撮影画面、撮影後の確認画面、レポート画面を時分割表示する単一の共通モニタで、画像取得部９００側ではなくパソコン９２５側に設けられる。
【００１６】
３２３は顔受けであり、不図示のモータによる上下動が可能な顎受け３２４、額当て３２５、後述の対物レンズの高さ方向の移動範囲中心に設けられた目高線３２６を備えている。被検者の顎を顎受け３２４に載せ、額を額当て３２５に当て、被検者の眼の高さが目高線３２６と略一致するように被検者の顔を固定することで、被検眼を取得部９００に概略位置決めすることができる。
【００１７】
（測定光学系および分光器の構成）
本実施形態の測定光学系および分光器の構成について図２（ｂ）を用いて説明する。まず、取得部９００の内部について説明する。被検眼１０７に対向して対物レンズ１３５−１が設置され、その光軸上に第１ダイクロイックミラー１３２−１および第２ダイクロイックミラー１３２−２が配置されている。これらのダイクロイックミラーによってＯＣＴ光学系の光路３５１、被検眼の観察と２次元画像の取得とを兼ねるＳＬＯ光学系と固視灯用の光路３５２、および前眼観察用の光路３５３とに波長帯域ごとに分岐される。該ＳＬＯ光学系は、本発明において被検眼の２次元画像を取得する２次元画像取得手段に対応する。また、当該光学系において用いられる測定光は２次元画像用の測定光に対応する。
【００１８】
ＳＬＯ光学系と固視灯用の光路３５２はＳＬＯ走査手段１３３、レンズ１３５−３および１３５−４、ミラー１３２−５、第３ダイクロイックミラー１３２−３、フォトダイオード１７３、ＳＬＯ光源１７４、固視灯１９１を有している。ミラー１３２−５は、穴あきミラーや中空のミラーが蒸着されたプリズムであり、ＳＬＯ光源１７４による照明光と、被検眼からの戻り光とを分離する。第３ダイクロイックミラー１３２−３はＳＬＯ光源１７４および固視灯１９１への光路へと波長帯域ごとに分離する。ＳＬＯ走査手段１３３は、ＳＬＯ光源１７４と固視灯１９１から発せられた光を被検眼１０７上で走査するものであり、Ｘ方向に走査するＸスキャナ、Ｙ方向に走査するＹスキャナから構成されている。本実施形態では、Ｘスキャナは高速走査を行う必要があるためポリゴンミラーによって、Ｙスキャナはガルバノミラーによって構成されている。レンズ１３５−３はＳＬＯ光学系および固視灯の焦点合わせのため、不図示のモータによって駆動される。ＳＬＯ光源１７４は７８０ｎｍ付近の波長の光を発生する。フォトダイオード１７３は、被検眼からの戻り光を検出する。固視灯１９１は可視光を発生して被検者の固視を促すものである。
【００１９】
ＳＬＯ光源１７４から発せられた光は、第３ダイクロイックミラー１３２−３で反射され、ミラー１３２−５を通過し、レンズ１３５−４、１３５−３を通り、ＳＬＯ走査手段１３３によって、被検眼１０７上で走査される。即ち、本発明において、２次元画像取得手段は、走査型の２次元画像取得手段であることが好ましいが、装置構成上これ以外の型からなる２次元画像取得手段を用いることも可能である。被検眼１０７からの戻り光は、投影光と同じ経路を戻ったのち、ミラー１３２−５によって反射され、フォトダイオード１７３へと導かれる。固視灯１９１は第３ダイクロイックミラー１３２−３、ミラー１３２−５を透過し、レンズ１３５−４、１３５−３を通り、ＳＬＯ走査手段１３３によって、被検眼１０７上で走査される。このとき、ＳＬＯ走査手段の動きに合わせて固視灯１９１を点滅させることによって、被検眼１０７上の任意の位置に任意の形状をつくり、被検者の固視を促す。
【００２０】
前眼観察用の光路３５３において、１３５−２、１３５−１０はレンズ、１４０はスプリットプリズム、１７１は赤外光を検知する前眼部観察用のＣＣＤである。このＣＣＤ１７１は、不図示の前眼観察用照明光の波長、具体的には９７０ｎｍ付近に感度を持つものである。スプリットプリズム１４０は、被検眼１０７の瞳孔と共役な位置に配置されており、被検眼１０７に対する取得部９００のＺ方向（前後方向）の距離を、前眼部のスプリット像として検出することができる。
【００２１】
ＯＣＴ光学系の光路３５１は、前述の通りＯＣＴ光学系を成しており、被検眼１０７の断層画像を撮像するためのものである。より具体的には、断層画像を形成するための干渉信号を得るものである。１３４は光を被検眼上で走査するためのＸＹスキャナである。ＸＹスキャナ１３４は１枚のミラーとして図示してあるが、ＸＹ２軸方向の走査を行うガルバノミラーである。
【００２２】
１３５−５、１３５−６はレンズであり、そのうちレンズ１３５−５は、光カプラー１３１に接続されているファイバー１３１−２から出射するＯＣＴ光源１０１からの光を、被検眼１０７に焦点合わせするために不図示のモータによって駆動される。この焦点合わせによって、被検眼１０７からの戻り光は同時にファイバー１３１−２の先端に、スポット状に結像されて入射されることとなる。
【００２３】
次に、ＯＣＴ光源１０１からの光路と参照光学系、分光器の構成について説明する。１０１はＯＣＴ光源、１３２−４は参照ミラー、１１５は分散補償用ガラス、１３１は光カプラー、１３１−１〜４は光カプラーに接続されて一体化しているシングルモードの光ファイバー、１３５−７はレンズ、１８０は分光器である。
【００２４】
これらの構成によってマイケルソン干渉系を構成している。ＯＣＴ光源１０１から出射された光は、光ファイバー１３１−１を通じ、光カプラー１３１を介して光ファイバー１３１−２側の測定光と、光ファイバー１３１−３側の参照光とに分割される。
測定光は前述のＯＣＴ光学系光路を通じ、観察対象である被検眼１０７に照射され、被検眼による反射や散乱により同じ光路を通じて光カプラー１３１に到達する。
【００２５】
光カプラー１３１によって、測定光と参照光は合波され干渉光となる。ここで、測定光の光路長と参照光の光路長がほぼ同一となったときに干渉を生じる。参照ミラー１３２−４は、不図示のモータおよび駆動機構によって光軸方向に調整可能に保持され、被検眼１０７によって変わる測定光の光路長に参照光の光路長を合わせることが可能である。干渉光は光ファイバー１３１−４を介して分光器１８０に導かれる。
【００２６】
また、１３９−１は、光ファイバー１３１−２中に設けられた測定光側の偏光調整部である。１３９−２は、光ファイバー１３１−３中に設けられた参照光側の偏光調整部である。これらの偏光調整部は光ファイバーをループ状に引き回した部分を幾つか持っている。このループ状の部分をファイバーの長手方向を中心として回動させることでファイバーに捩じりを加え、測定光と参照光の偏光状態を各々調整して合わせることが可能なものである。
【００２７】
分光器１８０はレンズ１３５−８、１３５−９、回折格子１８１、ラインセンサ１８２から構成される。光ファイバー１３１−４から出射された干渉光はレンズ１３５−８を介して平行光となった後、回折格子１８１で分光され、レンズ１３５−９によってラインセンサ１８２に結像される。
以上述べたＯＣＴ光学系は、本発明において被検眼に照射する測定光を走査して断層像を得る断層画像取得手段に対応する。
【００２８】
次に、ＯＣＴ光源１０１の周辺について説明する。ＯＣＴ光源１０１は、代表的な低コヒーレント光源であるＳＬＤ（Ｓｕｐｅｒ  Ｌｕｍｉｎｅｓｃｅｎｔ  Ｄｉｏｄｅ）である。中心波長は８５５ｎｍ、波長バンド幅は約１００ｎｍである。ここで、バンド幅は、得られる断層画像の光軸方向の分解能に影響するため、重要なパラメータである。
【００２９】
光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等を用いることができる。中心波長は眼を測定することを鑑みると近赤外光が適する。また、中心波長は得られる断層画像の横方向の分解能に影響するため、なるべく短波長であることが望ましい。双方の理由から中心波長８５５ｎｍとした。
【００３０】
本実施形態では干渉系としてマイケルソン干渉系を用いたが、マッハツェンダー干渉系を用いても良い。測定光と参照光との光量差に応じて、光量差が大きい場合にはマッハツェンダー干渉系を、光量差が比較的小さい場合にはマイケルソン干渉計を用いることが望ましい。
【００３１】
以上のような構成により、被検眼の断層像を取得することができ、かつ、近赤外光であってもコントラストの高い被検眼の２次元画像を取得することができる。また、得られた断層画像及び２次元画像は前述した患者情報記憶手段により、画像を取得された患者の情報と共に記憶される。
【００３２】
（断層画像の撮像方法）
光断層画像撮像装置２００を用いた断層画像の撮像方法について説明する。光断層画像撮像装置２００はＸＹスキャナ１３４を制御することで、被検眼１０７の所定部位の断層画像を撮像することができる。まず、図中Ｘ方向に測定光のスキャン（走査）を行い、被検眼におけるＸ方向の撮像範囲から所定の撮像本数の情報をラインセンサ１８２で撮像する。Ｘ方向のある位置で得られるラインセンサ１８２上の輝度分布を高速フーリエ変換（Ｆａｓｔ  Ｆｏｕｒｉｅｒ  Ｔｒａｎｓｆｏｒｍ：ＦＦＴ）し、ＦＦＴで得られた線状の輝度分布をモニタ９２８に示すために濃度情報に変換する。これを、Ａスキャン画像と呼ぶ。
【００３３】
また、この複数のＡスキャン画像を並べた２次元の画像をＢスキャン画像と呼ぶ。１つのＢスキャン画像を構築するための複数のＡスキャン画像を撮像した後、Ｙ方向のスキャン位置を移動させて再びＸ方向のスキャンを行うことにより、複数のＢスキャン画像を得る。
複数のＢスキャン画像、あるいは複数のＢスキャン画像から構築した３次元画像を以下に述べるモニタ９２８に表示することで検者が被検眼の診断に用いることができる。
【００３４】
（患者の検索を行う患者画面の構成）
図１（ａ）を用いて本実施形態に係る患者画面を説明する。患者画面１０００は検査開始前にパソコン９２５により検査用プログラムが実行されたときにモニタ９２８に表示され、患者情報の入力および選択を行う画面である。１００１、１００２、１００３は患者画面と後述する撮影画面、レポート画面を切り替えるボタンである。１００４は、撮像条件や検査用プログラムの各種設定を行う設定画面へ遷移するためのボタンである。１００５は検査終了時に本ソフトウェアを終了するためのログアウトボタンである。１１００部は患者情報を入力するための患者情報入力部であり、新規患者、すなわち患者情報記憶部に登録されていない患者の場合は、患者情報記憶部に覚え込ませる為の患者の情報の入力を行う。一方、既に患者情報記憶部に登録されている患者の場合は、後述の患者リスト１２００から患者を探し出すための検索条件を入力する。入力可能な内容は、患者ＩＤ、患者名、生年月日、性別、人種、受付番号、病名、コメント等である。１１０１は患者情報入力部１１００に入力された内容を一括で削除するためのクリアボタンである。１２００は患者リストであり、患者情報記憶部に記憶された患者を一覧表示する部分である。また、患者情報入力部１１００に患者情報に関する事項が入力されている場合には、その入力内容に該当する患者のみを表示する。１２９９は外部からの患者情報を患者情報記憶部に取り込むためのインポートボタンである。１３００は後述する検査リストであり、患者リスト１２００中で選択された患者の、これまでの検査情報が撮影画像のサムネイル画像とともに表示される。
【００３５】
（患者リストの構成）
ここで、患者リスト１２００の構成について詳述する。患者リスト１２００には、検査情報記憶部に記憶されている各患者の患者ＩＤ、患者名、生年月日、性別、人種、病名、最終検査日、コメントが表示され、各項目の上部には各項目のヘッダー１２０１が表示されている。ここで、表示される項目は前述の項目の中から特定の項目だけを表示させるよう選ぶことも可能であり、項目の並び順および列幅を変更することも可能である。また、各項目に対応したヘッダー部をマウス等でクリックすることによって、選択した項目の昇順および降順を基準に患者リストの患者の順番を並び替えることができる。その際、並び替えの基準となっている項目のヘッダー部には矢印１２０２が表示される。これらにより、検者の見やすい患者リスト表示へ変更が可能である。
【００３６】
この患者リストの中から、検者は検査を行う患者を検索し選択する。そして、選択された患者は、１２０３に示すようにハイライト表示される。選択された患者の過去検査データが患者情報記憶部に記憶されている場合には、その検査情報を後述する検査リスト１３００に表示する。また、特定の患者が選択されている状態で、不図示の変更ボタン（例えばマウスの右クリックにより出てくるプルダウンメニュー内）を操作することで、既に入力されている患者情報の編集も可能である。
【００３７】
ここで、患者を検索する際に患者情報入力部１１００に検索する患者の各情報を入力することでも検索が可能である。そして、患者情報に文字を入力するたびに検査リストから入力された情報に一致する患者が随時絞り込まれて表示されるような逐語検索（インクリメンタルサーチ）にすることで、より短時間で効率良く所望の患者を絞り込むことができる。この例を図３に示す。ここでは、患者ＩＤが「１２３４５６７８」である患者を検索する過程を示している。まず、図３（ａ）に示すように患者情報入力部１１００の患者ＩＤ入力部１１０１に「１」が入力された場合、患者リスト１２００は患者ＩＤに「１」を含む患者のみに絞り込まれる。次に、「１」に続いて「２」が入力された場合、図３（ｂ）に示すように「１２」を含む患者のみに絞り込まれる。そして、「２」に続いて「３」が入力された場合、図３（ｃ）に示すように、「１２３」を含む患者のみに絞りこまれる。ここで、図３（ｃ）では、患者リスト中から患者ＩＤ「１２３」で絞り込まれた患者が所望の患者（患者ＩＤ「１２３４５６７８」のみであることを示している。換言すれば、患者情報が入力されるごとに、患者情報記憶手段から入力された患者情報に該当する患者を検索しモニタ９２８に表示させている。このように、インクリメンタルサーチを行うことで、所望の患者の全情報の入力が完了していなくても、一部の情報だけで絞り込むことが可能であるため、より早く所望の患者を特定できる場合がある。また、入力情報を常に参照して患者リスト１２００が更新されるため、患者情報を誤入力してしまった場合に、検者はその途中でより早く誤入力に気付くことができる可能性もある。
【００３８】
なお、候補が一人に絞り込まれた場合に、図３（ｃ）に示すように自動的に該当の患者を選択された状態にし、検査リスト１３００に該当患者の過去の検査情報を表示してもよい。これにより、検索された患者が所望の患者か否かを過去に撮影した画像によって直感的に把握することもできる。
ここでは、患者ＩＤによる検索を例にとって説明したがこれに限ることは無く、他の患者情報、例えば患者名、生年月日、性別、人種、病名、コメント等でも良い。また、複数の項目によって検索を行っても良く、この場合でも絞りこまれていく過程は上述と同様である。
【００３９】
（検査リストの構成）
次に、本発明で特徴的な検査リストの構成について図１（ｂ）を用いて説明する。検査リスト１３００には選択された患者の過去の検査が一覧表示される。１３０１は選択された患者のこれまでの総検査データ数である。１３０２−１〜６は撮影データを日付毎にまとめた検査データ群のタブである。タブには撮影日付とともに、その日付での検査データ数１３０３および展開／折りたたみの状態を示す展開インジケータ１３０４が表示されている。なお、ここでは、日付ごとにまとめられた検査データ群は、降順すなわち日付の新しい方が上にくるように表示される。また、患者を選択した直後は、図１（ｂ）に示すように最新の日付のみが展開され、その日付の検査データが表示されている状態であり、他の日付は折りたたまれ検査データは表示されない。折りたたまれている日付の検査データ群は、各タブ部を操作（マウス等でクリック）することで展開され表示される。
【００４０】
各検査データは、検査データＡが１３１０、Ｂが１３２０、Ｃが１３３０、Ｄが１３４０のように、一回の撮影につき一つの検査データとして表示される。なお、同一日付でまとめられたこれらの各検査データは、時間の昇順、すなわち早い時間の方が上になるような順番で並べられて表示される。また、患者を選択した直後は、自動的に最新の検査データが選択された状態、この場合は検査データＤ（１３４０）が選択されハイライトした状態となる。なお、断層像のサムネイル画像での一覧表示において、撮影日時順および走査パターン順、左右眼順のうちいずれか一つを第一優先とし、残りの内いずれか一つを第二優先として並べ替えを行うことも可能である。また、上記の例では時間の昇順で検査データが表示されているが、これに限定されるものではなく、時間の降順で検査データを表示することとしてもよい。
【００４１】
ここで、一つの検査データでの表示内容について詳述する。検査データＡ（１３１０）を例に取ると、代表的な断層像のサムネイル画像１３１１、被検眼の２次元画像（ＳＬＯ像）のサムネイル画像１３１２、撮影日時１３１５、撮像眼の左右情報１３１６、スキャンパターン（走査パターン）名称１３１７、ＱＩ値１３１８から構成されている。また、後述する写損の判断が検者によりなされた場合は、検査データＤ（１３３０）の１３３９に示すようなＮＧ表記がなされる。
【００４２】
断層サムネイル画像１３１１には、単一の断層像を取得した撮像の場合は、その断層像がサムネイル画像として表示される。一方、複数の断層像が取得された場合には、例えば中心位置の断層像がサムネイル画像として表示される。また、被検眼に対し横方向のスキャンと縦方向のスキャンが行われた場合には、例えば横方向のスキャンによって得られた画像が優先して表示される。
【００４３】
ＳＬＯサムネイル画像１３１２は、断層像の取得と略同時に取得された画像であり、断層像を取得した際のスキャンパターン１３１３がＳＬＯ像上に重畳されている。ここで、スキャンパターンとは、断層像取得光を被検眼中でどのように走査したかの軌跡のことであり、一点を中心として縦横十字にスキャンするクロススキャンや、エリア全体を塗りつぶすようにスキャンし結果として３次元断層像を得る３Ｄスキャンなどがある。また、３Ｄスキャンの場合には、縦横どちらの方向を優先してスキャンするかで縦３Ｄスキャンと横３Ｄスキャンがある。例えば１３１３は黄斑部を中心とした所定エリアの横方向の３Ｄスキャンを示しており、実際に断層像を取得するためにスキャンした範囲の上端、下端、中心部のラインと、そのスキャン方向を矢印で示している。また、３Ｄスキャンが実施された場合には、検査データＡのＳＬＯサムネイル像１３１２のように、スキャンされた範囲のみプロジェクション像１３１４がＳＬＯ像の替わりに表示される。ここで、プロジェクション像とは、断層像から生成される疑似的な２次元画像のことである。一方、クロススキャンが行われた場合の検査データを示す検査データＤ（１３４０）の場合には、そのＳＬＯサムネイル画像１３４０には、実際に断層像を取得するためにスキャンした十字のラインとそのスキャン方向を示す矢印線１３４３が重畳表示される。ただし、クロススキャンのようにエリアに対するスキャンで無く、十分なプロジェクション像が得られないため、プロジェクション像はＳＬＯサムネイル画像に重畳表示されない。
【００４４】
スキャンパターン名称１３１７は、前述のスキャンパターンを文字によって表現したものである。例えば、下記の様な名称例がある。検査データＡ（１３１０）では、黄斑診断に適している黄斑部を中心とした横方向３ＤスキャンであるためＭａｃｕｌａ  ３Ｄ（乳頭３Ｄ）と表記している。検査データＢ（１３２０）では、乳頭部を中心とした３ＤスキャンであるためＤｉｓk  ３Ｄ（乳頭３Ｄ）と表記している。検査データＣ（１３３０）では、緑内障の診断に適している黄斑部を中心とした縦方向３ＤスキャンであるためＧｌａｕｃｏｍａ  ３Ｄ（緑内障３Ｄ）と表記している。検査データＤ（１３４０）では、クロススキャンであるため、Ｃｒｏｓｓと表記している。この他にも、複数のクロススキャンによるＭｕｌｔｉ  Ｃｒｏｓｓ（マルチクロス）や、前眼部の３ＤスキャンであるＡｎｔｅｒｉｏｒ  ３Ｄ（前眼部３Ｄ）などがある。このように、撮像に用いたスキャンパターンをその特徴を抽出した名称で示すことで、検者はより明確に過去撮像時のスキャンパターンを知ることができる。
【００４５】
ＱＩ値１３１８は断層像の画質を表す指標、即ち画質指標であり、例えばＳＮＲ法により算出される０〜１０の値である。本実施形態では、ＱＩ値を１０個のマス目からなるインジケータと値とで表記している。インジケータは、１〜２では赤色、３〜６では橙色、７〜１０では緑色のように、ある範囲毎に色分けされている。これにより、選択された患者のこれまでの撮像画質を直感的に把握することができる。ここで、例えば被検者の固視状態が悪い場合には、概ね画質は低下する。このため、このＱＩ値を一通り見ることで、撮像前に固視状態が良い被検者であるのか否か、しいては撮像が簡単な被検者であるのか否かを判断することができる。また、このことは写損表示１３３９でも判断することができる。これまでに写損が多い患者の場合には、その表示が過去検査リスト１３００上に見られるため、この写損情報を表示において見ることでも、患者の撮像難易度の指標とすることができる。
以上のような構成により、見易く、かつ所望の過去検査データを効率良く探し出すことができ、さらには該当患者の撮影難易度などが判別できる検査リストを検者に提示できる。
【００４６】
（撮影画面の構成）
図４（ａ）を用いて本実施形態に係る撮影画面を説明する。撮影画面は、所望の被検眼像を得るために、各種の設定および調整を行う画面であり、撮像前にモニタ９２８に表示される画面である。２１０１は前眼部観察用のＣＣＤ１７１によって得られた前眼部観察画面、２２０１はフォトダイオート１７３によって得られた被検眼の２次元画像表示画面、２３０１は取得された断層画像を確認するための断層画像表示画面である。２００１は被検眼の左右を切り替えるボタンであり、Ｌ、Ｒボタンを押すことにより、左右眼の初期位置に画像取得部９００を移動する。
【００４７】
２０１０は検査セット選択画面で有り、選択されている検査セットを表示する。ここで、検査セットとは、少なくとも一つのスキャンパターンを、その順番とともに記憶しているスキャンパターン群のことである。検査セットには例えば、黄斑疾患に適したスキャンパターン群や、緑内障に適したスキャンパターン群、乳頭解析や前眼部解析に適したスキャンパターン群などがある。また、過去に撮像したときと同じスキャンパターン群を有する後述のフォローアップと呼ばれる検査セットもある。検査セットを変更する際には、検者は２０１１をクリックすることで、不図示のプルダウンメニューを表示させ、所望の検査セットを選択する。また、スキャンパターン表示画面２０１２には、現在選択されている検査セットで行うスキャンパターンの概要、例えば３Ｄスキャン、クロススキャンなどを順番で表示する。
【００４８】
２４００は患者情報表示部であり、現在検査をしている患者の各種情報、例えば患者ＩＤ、患者名、年齢、性別を表示する。
前眼部観察画面２１０１上の任意の点をマウスでクリックすることで、その点を画面の中心にするよう取得部９００を移動させ、取得部と被検眼の位置合わせを行う。
【００４９】
２００４は開始ボタンであり、このボタンを押すことで断層像および２次元画像の取得が開始され、２次元像表示画面２２０１および断層画像表示画面２３０１に取得した被検眼像がリアルタイムで表示される。このとき、２次元画像表示画面２２０１内に表示される枠２２０２は、撮影時に断層像を取得する範囲である。また、縦方向の中心部にある横向きの矢印線２２０３は、断層画像表示画面２３０１に表示されている断層像を取得している被検眼上の位置およびスキャン方向を示している。
それぞれの画像の近傍に配置されているスライダは、調整を行うためのものである。スライダ２１０３は被検眼に対する取得部のＺ方向の位置を調整するもの、スライダ２２０３はフォーカス調整を行うもの、スライダ２３０３はコヒーレンスゲートの位置を調整するものである。
【００５０】
フォーカス調整は、眼底に対する合焦調整を行うために、レンズ１３５−３および１３５−５を図示の方向に移動する調整である。コヒーレンスゲート調整は、断層画像が断層画像表示画面の所望の位置で観察されるために、参照ミラー１３２−４を図示の方向に移動する調整である。これらの調整操作により、検者は最適な撮像が行える状態を創出する。２００３は撮像ボタンであり、各種調整が終了したときに、このボタンを押すことで所望の撮像が行われる。
【００５１】
（断層画像確認画面の構成）
次に図４（ｂ）を用いて、本実施形態に係る確認画面３０００について説明する。確認画面は、撮像後にモニタ９２８に表示される画面であり、検者は、撮像した断層像が写損画像で無いか確認を行う。また、病変等の大まかな確認を行うことで、次の撮像時の着目部位に対する判断材料とすることができる。
【００５２】
３２０１は２次元像取得用のフォトダイオード１７３によって得られた被検眼の２次元画像表示画面、３３０１は取得された断層像を確認するための断層画像表示画面である。３４０１は、取得された断層画像から再構築或いは再構成した被検眼画像であるプロジェクション像を表示する画面である。また、３４１１は断層画像表示画面で示される断層画像の断面位置を指定するためのスライダである。そして、３００２は検者が取得断層像を写損と判断した場合に、マウス等でクリックするためのＮＧボタン、３００１は検者が取得断層像を写損ではなく良好と判断した場合に、マウス等でクリックするためのＯＫボタンである。
【００５３】
２次元画像表示画面３２０１内には、断層画像取得範囲３２２１および断層画像表示画面３３０１で示される断層画像の取得位置及びスキャン方向を示す矢印３２２２、即ち走査軌跡とその概要とが概要図として表示される。同様にプロジェクション画面３４０１にもそれぞれ断層画像表示画面３３０１で示される断層画像の取得位置およびスキャン方向を示す矢印３４２２が表示される。
【００５４】
この画面の初期状態では、断層画像表示画面３３０１には断層画像取得範囲３２２１内の中央位置の断層画像を表示する。より細かく各断層画像のチェックをする場合には検者は３４１１のスライダを操作する。それによって、断層画像表示画面３３０１で表示される断層画像が断層画像取得範囲内で移動する。これにより、検者は全ての断層画像をチェックすることが可能となる。これにより、検者は正確に写損か否かをチェックすることが可能となり、また、病変等の大まかな確認が可能となる。
【００５５】
（レポート画面の構成）
図５を用いて、本実施形態に係るレポート画面４０００について説明する。レポート画面は、モニタ９２８に表示される画面で有り、確認画面よりもさらに詳細に取得された被検眼像を確認、診断する画面である。
【００５６】
４１０１は患者基本情報表示部であり、本画面で表示されている患者の患者ＩＤ、患者名、生年月日、性別、人種を表示する。４１０２は病名入力部であり、本画面で詳細な解析および診断を行い、その病名を検者が記入する部分である。コメント入力部４１０３は、検者がコメントを自由に入力できる画面である。ここで、レポート画面４０００では４１０１に入力されている患者基本情報を編集することはできないが、病名入力部４１０２およびコメント入力部４１０３は編集可能である。
【００５７】
４３００は検査リスト表示部であり、本画面で選択されている患者の過去の検査一覧が表示される。患者画面１０００における検査リスト１３００と同一な部分は説明を省略する。４３０７はＮＧデータの表示／非表示を切替えるＮＧチェックボタンである。このボタンがチェックされていない場合は、確認画面３０００でＮＧ判断がなされたデータ、すなわち４３１２−１９のようにＮＧフラグがついているデータは表示しない。一方、ボタンがチェックされている場合は表示する。４３０５および４３０６は、検査データの並び順を日付優先にするかモード優先にするかを切替える日付順タブおよびモード順タブである。ここで、まず日付順タブ４３０５が選択されている場合について説明する。
【００５８】
日付順タブが選択されている場合は、個別の検査データが、患者画面１０００における検査リスト１３００と同様に、撮影日付毎にまとめられる。４３０２−１〜６は検査データを日付毎にまとめた検査データ群の日付タブであり、新しい日付が上にくるよう降順で表示される。ここで４３０２−１を例にとると、日付タブには撮影日付とともに、その日の検査データ数４３０３、および展開／折りたたみの状態を示す展開インジケータ４３０４が表示されている。また、本画面における検査リスト４３００では、日付毎のデータ群の内部でさらに左右眼毎のデータ群に分かれている。４３１１は右眼の検査データのみをまとめた右眼タブ、４３１２は左眼の検査データのみをまとめた左眼タブである。それぞれのタブには、日付タブ４３０２−１と同様に内包されている検査データ数を示す４３１３、４３１４、そして展開／折りたたみの状態を示す展開インジケータ４３１５、４３１６が並列して表示されている。そして、それぞれの左右眼タブの配下には、個別の検査データ４３１１−１、２および４３１２−１、２が表示される。個別の検査データでの表示内容は、患者画面における検査リスト１３００と同様であるため、詳細は省略する。
【００５９】
次に、モード順タブ４３０６が選択されている場合について図５（ｂ）を用いて説明する。モード順タブが選択された場合は、個別の検査データがスキャンパターン毎にまとめられる。４４０２−１〜６は検査データをスキャンパターン毎にまとめた検査データ群のスキャンパターンタブであり、ここではクロス、マルチクロス、黄斑３Ｄ、緑内障３Ｄ、乳頭３Ｄ、前眼部３Ｄなどのパターンで分けている。ここで、４４０２−１を例にとると、スキャンパターンタブには、スキャンパターンの名称とともに、その日の検査データ数４４０３、および展開／折りたたみの状態を示す展開インジケータ４４０４が表示されている。また、前述の日付順タブが選択されたときと同様に、スキャンパターン毎のデータ群の内部でさらに左右眼毎のデータ群に分かれている。４４１１は右眼の検査データのみをまとめた右眼タブ、４４１２は左眼の検査データのみをまとめた左眼タブである。それぞれのタブには、日付タブ４４０２−１と同様に内包されている検査データ数を示す４４１３、４４１４、そして展開／折りたたみの状態を示す展開インジケータ４４１５、４４１６が並列して表示される。そして、それぞれのタブの配下には、個別の検査データ４４１１−１、２および４４１２−１、２が表示される。それぞれの検査データの詳細は、患者画面１０００での検査リスト１３００と同様であるため、ここでの説明は省略する。
【００６０】
以上の説明では、患者画面１０００における過去検査リスト１３００とレポート画面４０００における過去検査リスト４３００は異なるものであったが、同一でも良い。例えば、患者画面における過去検査リスト１３００も日付順、撮影モード順に並べ替えが可能であるようにしても良い。
【００６１】
４５００は断層像表示画面であり、検査リスト４３００で選択された撮影データにおいて、後述の２次元画像表示画面４７００で示された位置での断層像を示している。４７００は２次元画像表示画面であり、４５００に示す断層像と略同時に取得された被検眼の２次元画像を表示する。ここで、表示する２次元画像は、断層像を３Ｄスキャンによって取得された場合にはプロジェクション画像、クロススキャンやマルチクロススキャンの場合はＳＬＯ像を表示する。この場合は、クロススキャンの場合を示しているので、２次元画像表示画面４７００にはＳＬＯ像が表示されている。また、２次元画像表示画面内には、断層像が取得された際のスキャンパターンが表示され、断層像表示画面４５００に表示している断面を示すラインが強調して表示され、ここでは横方向のライン４７０１が強調して表示される。
ここで、断層像表示画面４５００に表示されている断層像は、下記の方法によって、画像パラメータを調整することができる。
【００６２】
４６１１は、輝度調整用スライダであり、例えば、設定された値だけ各画素の輝度値に加算する。−１５０〜＋１５０まで設定可能である。これにより画像を明るくしたり暗くしたりすることができる。４５００に表示されている断層像に設定されている値は４６１２に表示される。
【００６３】
４６２１はコントラスト調整用スライダであり、例えば、設定された値だけ各画素の輝度値に乗算する。−１００〜＋１００まで設定可能である。例えば、−１００の場合は、各画素値に１／２を乗算し、＋１００の場合は２を乗算する。これにより、信号の強弱を増幅したくっきりとした画像を得ることができる。４５００に表示されている断層像に設定されている値は４６２２に表示される。
各スライダ横のリセットボタン４６１３、４６２３はリセットボタンであり、これを押すことによって、各パラメータを初期値である０に戻すことができる。
【００６４】
４５０１は断層画像表示画面４５００内でカーソルをマウス等でドラッグした場合に表示されるＣ／Ｂ（コントラスト：Ｃｏｎｔｒａｓｔ／輝度：Ｂｒｉｇｈｔｎｅｓｓ）ポインタである。Ｃ／Ｂポインタが表示された状態で、そのまま左右方向にポインタをドラッグすると、断層画像表示画面のコントラストを調整することができ、上下方向にポインタをドラッグすると、輝度を調整することができる。画像を初期状態に戻すためには、前述のリセットボタン４６１３、４６２３を押下するか、断層画像表示画面４５００中の不図示のリセットボタン（例えばマウスの右クリックにより出てくるプルダウンメニュー内）を操作することで行うことができる。
【００６５】
４６３１では、断層画像表示画面４５００に表示されている断層像の表示色を変更することができる。画像パラメータの変更として輝度情報にグレースケールが選択されている場合は、信号の強弱すなわち被検眼の反射強度が強いところを白、弱いところが黒で表示される。画像パラメータの変更として輝度情報の反転が為される場合には、反転表示は、グレースケールとは逆に反射強度の弱いところが黒、強いところが白で表示される。画像パラメータの変更として輝度情報からカラー情報への置換が為されて疑似カラーが選択されている場合は、反射強度の強いところが赤などの暖色系、弱いところが青などの寒色系などと、光の反射強度に色を当てはめて表示される。
上記のような構成、および画像パラメータの調整により、検者は個々の病変に対する最適な断層像を得ることができ、より詳細な診断が可能となる。
【００６６】
また、ここで断層像表示画面４５００に表示された断層像に対して行われたコントラスト、輝度、表示色の調整および変更は、レポート画面の検査リスト４３００と、患者画面の検査リスト１３００の断層サムネイル画像にも反映される。これにより、検査リスト上であっても、特徴をとらえたサムネイル画像を表示することができるため、所望の検査データを探す際の効率を向上させることができる。
なお、本発明はこれに限定されるものではなく、例えば、確認画面３０００においてレポート画面４０００と同様に表示された断層像等の画像のコントラスト等を調整できるようにしてもよい。具体的には、確認画面３０００において、輝度調整スライダ４６１１、輝度値４６１２、輝度リセットボタン４６１３、コントラスト調整スライダ４６２１、コントラスト値４６２２、コントラストリセットボタン４６２３、表示色変更部４６３１、表示色変更部、Ｃ／Ｂ調整ポインタ４５０１を表示することとしてもよい。この場合、確認画面３０００において画像に対して行われた調整がレポート画面４０００において表示される過去検査リスト４３００のサムネイル画像に反映される。また、確認画面３０００において２次元画像表示画面４７００を表示することとしてもよい。
【００６７】
なお、以上に述べた患者画面１０００、撮影画面２０００、確認画面３０００、及びレポート画面４０００の表示は、パソコン９２５において表示制御手段として機能するモジュール領域によってその表示内容が生成、指定等される。表示手段たるモニタ９２８は、該表示制御手段からの指示に応じた画像の表示を実行する。またモニタ９２８は、例えばＬ、Ｒボタンの選択等、表示手段に表示された画像を介して外部入力を受け付ける表示入力手段としても機能する。
【００６８】
（動作フロー）
本実施形態における動作フローを、図６を用いて説明する。まず、ステップＳ１にて検査を開始すると、パソコン９２５により検査用プログラムが実行され、ステップＳ２にてモニタ９２８に患者画面１０００を表示し、ステップＳ３にて検者は患者情報入力部１１００に患者情報を入力する。次に、ステップＳ４にて、ステップＳ３で入力された情報に該当する患者がいるか患者情報記憶部内を検索し、ステップＳ５にて該当患者がいるか否かを判断する。該当患者が患者情報記憶部に記憶されていた場合は、ステップＳ６に進み該当する患者を表示する。ここで、該当する患者の表示の仕方は、前述のインクリメンタルサーチ方式にすることで、検索結果を迅速に確認することができる。次に、ステップＳ７に進み、複数の該当患者が表示されている場合は、検者はその中から所望の患者を選択する。もしくは、該当する患者がただ一人であった場合は、自動的にその一人の患者が選択された状態となる。一人の患者が選択された後にステップＳ８に進み、前述の選択患者の過去検査リスト１３００を表示する。次に、検者はステップＳ９にて過去検査リスト中から、一つの検査データを選択する。このとき、検者はサムネイル画像を見ながら検査データを探すことで、患者の疾病、病変の位置、固視状態などを大まかに確認することができる。検査データが一つ選択された状態で、ステップＳ１０で撮影画面への遷移指示、たとえば撮影画面への遷移タブボタン１００２の押下を行うと、ステップＳ１１で撮影画面２０００が表示される。なお、ステップＳ５にて、患者情報記憶部に患者情報が登録されていない患者、すなわち新規の患者である場合は、過去検査の表示、選択のステップを経ず、すぐにこのステップ１０へ移動し、撮影画面への遷移を行うか否かの判断を行う。
【００６９】
ステップＳ１１では撮影画面２０００をモニタ９２８に表示する。ここで、検者はまず検査セット選択画面２０１０で検査セットを選択する（ステップＳ１２）。このとき、フォローアップ検査が選択された場合は、ステップＳ９で選択された検査データをもとに、そのデータが取得されたときのスキャンパターン群、スキャン位置、フォーカス位置などが患者情報記憶部から読みだされ、自動的に再現されるようになる。これにより、比較対象となる過去データと同等の条件で新規に被検眼の断層像を取得することができるようになる。例えば、ステップＳ９において過去検査リスト１３００の検査データ１３１０が選択された場合、符号１３０２−１で示される検査数４の検査セットがフォローアップ検査として自動的に再現される。ステップＳ１２で検査セットが選択されたのち、検者はステップＳ１３にて撮像を行う。その後、ステップＳ１４にて前述の確認画面３０００が表示され、その画像をもとに検者はステップＳ１５にて、ステップＳ１３で撮像された画像が写損であるか否かの判断を行う。写損で無い場合はステップ１６に進み、ステップＳ１２で選択した検査セット内のスキャンパターン群での撮像が終了したか否かの判断を行う。一方、写損であると判断した場合は、その画像はＮＧ情報とともに患者情報記憶部に記憶された後、ステップＳ１１へと戻り再撮影を行う。
【００７０】
ステップＳ１６で、所定検査セット内のスキャンパターン群での撮像が終了したと判断された際には、ステップＳ１７でレポート画面に遷移するか否かを検者が選択する。レポート画面に遷移する場合は、ステップＳ１８に進みレポート画面４０００を表示する。一方、レポート画面に遷移しない場合にはステップＳ２３に進む。ステップＳ１８でレポート画面が表示されると、ステップＳ１９で過去検査リスト４３００が表示され、検者は過去検査リストの中から所望の検査データを選択する。ここで、過去検査リスト４３００にはステップＳ１３にて撮像され画像取得部９００からパソコン９２５が取得した画像のサムネイルが含まれる。すなわち、パソコン９２５において取得手段として機能するモジュール領域によって被検査物の画像が取得され、さらにパソコン９２５において画像生成手段として機能するモジュール領域によってサムネイル画像が生成される。選択された検査データの断層像は、前述のレポート画面４０００で示したように、ステップＳ２０にてモニタ９２８に表示され、検者はこの画面を観察することによって、詳細な診断、検討を行う。
【００７１】
ここで、ステップＳ２１にてさら断層像の特徴を掴みやすいように、画像パラメータ（輝度、コントラスト、表示色）の変更が可能である。画像パラメータを変更した場合は、ステップＳ２２にて、その情報を患者情報記憶部に記憶する。次に、ステップＳ２３では、患者情報記憶部の情報をもとに、患者画面における過去検査リスト１３００のサムネイル画像、およびレポート画面における過去検査リスト４３００のサムネイル画像を変更する。なお、サムネイル画像における画像パラメータの変更はハイライト表示された画像のみについて行っても良く、全ての画像に対し行っても良い。例えば、画像の比較の場合、ハイライト画像と取得画像との比較のために輝度値を合わせること等が考えられる。しかし、例えば反転画像の比較を行う場合には、全てのサムネイル画像を反転させて取得画像との大まかな比較と行うことも考えられる。また、予め指定した直近の所定枚数の画像、或いは所定条件の画像等のみについて行うこととしても良い。これにより、過去検査リスト中に表示される断層サムネイル画像が、特徴の掴み易いサムネイル画像にすることができ、検者は所望の検査データを迅速、かつ容易に探し出すことが出来る。ステップＳ２４は、ステップＳ２３の後、もしくはステップＳ２１で画像パラメータを変更しない場合に進むステップであり、追加撮像するか否かの判断を行う。追加撮像する場合はステップＳ１１に戻り、撮影画面２０００を表示する。一方、追加撮像を行わない場合はステップＳ２５に遷移する。ステップＳ２５で、検者が患者変更をするために、患者ボタンへの遷移ボタン１００１を押下した場合はステップＳ２に戻り、上述のフローを繰り返す。一方患者変更しない場合は、検者はログアウトボタン１００５ボタンを押すなどにより、検査用プログラムが終了され、ステップＳ２６に進み検査終了となる。
【００７２】
以上述べたように、表示制御手段は、患者情報記憶手段に患者情報として情報が記憶された患者の一覧表示と、表示入力手段により選択された患者情報のサムネイル画像の一覧表示と、をモニタ９２８に実行させる。またモニタ９２８は、表示入力手段として患者の一覧表示からの一人の患者の選択の入力と表示された画像の少なくとも一つの画像パラメータの変更の入力とを受け付ける。表示制御手段として機能するパソコン９２５は更に画像パラメータ変更手段として機能するモジュール領域を有し、入力された画像パラメータに応じて前述したようにサムネイル画像の画像パラメータを変更して該画像の再構成を行い、これをモニタ９２８に表示させる。以上の構成は、本発明において画像取得手段或いは取得手段により取得された画像に対して行われる画像処理を、サムネイル画像に対しても反映させる画像処理手段を構築する。
【００７３】
なお、表示制御手段は、サムネイル画像とともに、撮影した日時および撮像眼の左右情報、測定光の走査パターンのうち、少なくとも一つを表示手段に表示させ手も良い。或いは、サムネイル画像とともに、先述した画質指標を表手段に表示させても良い。また、取得された断層像ごとに検者の判断による写損情報は記憶され、サムネイル画像とともに、これが表示されても良い。更に２次元画像のサムネイル画像に対して再構成した２次元画像を重畳して表示しても良く、２次元画像のサムネイル画像に対して被検眼を走査した際の走査軌跡の概要図を重畳しても良い。また、前述したように、断層画像のサムネイル画像には中心走査線位置の断層像を用いることが好ましい。
【００７４】
以上のようなフローによって撮像を行うことで、検査リスト内の断層サムネイル画像を、特徴の掴み易い画像で検者に提示することができる。このため、検者は所望の過去検査データを容易にかつ迅速に見つけ出せる可能性が有り、検査効率の向上、しいては診断効率の向上が見込める。
【００７５】
即ち、本発明によれば、ＳＬＯといわれる近赤外光を用いた共焦点レーザー走査によって被検眼の２次元画像を取得することで、縮瞳を低減しつつ高コントラストの２次元画像を得ることができる。このため、断層像と略同時に取得された被検眼の２次元画像を検者に提示でき、検者は被検眼のうちでどの部位に着目して撮像された断層像であるのかを容易にかつ迅速に判断することができる。
【００７６】
また、同じような過去の撮影画像が並んだ際に、所望の撮影データを探し出す判断材料を提示することができる。
【００７７】
また、どの程度良い画質が撮影可能な患者であるか、すなわち、被検者の固視状態の善し悪しを容易に、かつ段階的に撮影に前もって検者に提示することができる。
【００７８】
また、写損しやすい患者か否か、すなわち撮影が簡単か否かを、撮影に前もって検者に提示することができる。
【００７９】
また、断層画像から再構築された２次元画像を検者に提示することによって、検者は、被検眼深層の血管や病変を２次元画像からもある程度推定することができる。
【００８０】
また、被検眼の２次元画像内に断層像を取得したスキャンパターンの概要図を重畳することによって、どのようなスキャンパターンで撮像したかを、より直感的に検者に提示することができる。
【００８１】
また、注目部位を中心にして撮像が行われることが多いことを利用し、簡単な構成で、特徴の掴み易い断層サムネイル画像を検者に提供することができる。
【００８２】
また、患者データ群の中からを所望の患者を検索する際に、検索単語のすべてを打ち込む必要がなく、入力の誤りへの対処も即座に行うことができため、患者検索効率を向上させることができる。
【００８３】
更に、過去の検査データを検者所望の順番に並べ替えられるため、検者が過去検査を選択する優先順位に沿った形態で過去検査データを提示することができ、検者の過去検査データ検索効率を向上させることができる。
【００８４】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【産業上の利用可能性】
【００８５】
本件は上記の実施例に限定されるものではなく、本発明の趣旨を逸脱しない範囲内において、種々の変形、変更して実施することができる。例えば、上記の実施例では、被検査物が眼の場合について述べているが、眼以外の皮膚や臓器等の被測定物に本発明を適用することも可能である。この場合、本発明は眼科装置以外の、例えば内視鏡等の医療機器としての態様を有する。従って、本発明は眼科装置に例示される光断層画像撮像装置として把握され、被検眼は被検査物の一態様として把握されることが望ましい。
【符号の説明】
【００８６】
１０７・・被検眼、１０１・・ＯＣＴ光源、１３３・・ＳＬＯスキャナ、１３４・・ＯＣＴスキャナ、１７４・・ＳＬＯ光源、９００・・画像取得部、９２５・・パソコン、９２６・・ハードディスク、９２８・・モニタ、９５０・・ステージ部、１０００・・患者画面、１１００・・患者情報入力部、１２００・・患者リスト、１３００・・患者画面における検査リスト、１３１１・・断層サムネイル画像、１３１２・・ＳＬＯサムネイル画像、１３１３・・スキャンパターン、１３１４・・プロジェクション像、１３１５・・撮像日時、１３１６・・左右眼情報、１３１７・・スキャンパターン名称、１３１８・・ＱＩ値、１３３９・・ＮＧ表示、２０００・・撮影画面、３０００・・確認画面、４０００・・レポート画面、４３００・・レポート画面における検査リスト、４６１１・・輝度調整スライダ、４６１３・・輝度リセットボタン、４６２１・・コントラスト調整スライダ、４６２３・・コントラストリセットボタン、４６３１・・表示色変更部、４５０１・・Ｃ／Ｂ調整ポインタ
【図１】
2014045862.tif 000003
【図２】
2014045862.tif 000004
【図３】
2014045862.tif 000005
【図４】
2014045862.tif 000006
【図５】
2014045862.tif 000007
【図６】
2014045862.tif 000008